(57)【要約】【課題】小切手帳や約束手形帳を開いた時に使用済みの控え紙片が邪魔にならないようにした冊子を提供する。【解決手段】複数枚の頁用紙（２０）が積層されその一端側が相互に綴じ込まれることによって任意の頁用紙を開き可能な綴込み体を構成し、複数の全部又は一部の頁用紙には切離し線（２３）を入れることによって頁用紙の全部又は一部を綴込み体から切離し可能に設ける一方、複数の各頁用紙の一端側には折曲げ案内線（２４）を頁用紙の一端縁にほぼ平行に延びて入れることによって綴込み体を任意の頁用紙を開いた状態を維持するようにする。【選択図】　図３
2004009719.tif 000002
【特許請求の範囲】
【請求項１】
複数枚の頁用紙が積層されその一端側が相互に綴じ込まれることによって任意の頁用紙を開き可能な綴込み体が構成され、
上記複数の全部又は一部の頁用紙には切離し線が入れられることによって該頁用紙の全部又は一部が上記綴込み体から切離し可能に設けられている一方、
上記複数の各頁用紙の一端側には折曲げ案内線が上記頁用紙の一端縁にほぼ平行に延びて入れられることによって上記綴込み体は任意の頁用紙を開いた状態を維持するようになっていることを特徴とする冊子。
【請求項２】
上記複数の頁用紙の折曲げ案内線は該折曲げ案内線と頁用紙の一端縁との間の寸法が上記綴込み体の上側の頁用紙から下側の頁用紙に向けて漸増するように入れられている請求項１記載の冊子。
【請求項３】
上記複数枚の各頁用紙が小切手又は約束手形と控えとからなる用紙であり、小切手又は約束手形と控えとの間に切離し線が入れられており、小切手又は約束手形及び控えに記入する際に使用済みの控え紙片が開いた状態を維持するようになっている請求項１又は２記載の冊子。
【発明の詳細な説明】
【０００１】
【発明の属する技術分野】
この発明は小切手帳や約束手形帳等の冊子に関し、特に小切手帳や約束手形帳を開いた時に使用済みの控え紙片が邪魔にならないようにした構造に関する。
【０００２】
【従来の技術】
例えば、小切手や約束手形は現金と同様の価値を有し、金員の支払いによく利用されている。通常、小切手や約束手形は控えとともに一枚の用紙を構成し、複数枚、例えば５０枚の用紙を表紙と台紙との間に綴じ込んだ小切手帳や約束手形帳の形態をなし、小切手や約束手形に必要な金額を印字し記入するとともに、その控えにも同額の金額を記入し、小切手や約束手形をミシン目から切り離して使用するようになっている。
【０００３】
【発明が解決しようとする課題】
しかし、従来の小切手帳や約束手形では小切手や約束手形を切る際にその控えに使用済みの控え紙片が重なってしまい、特に用紙が残り少なくなると使用済みの控え紙片が多くなり、使用済みの控えを片手で開いた状態に押さえておく必要があり、控えへの記入が非常に煩わしいという問題があった。
【０００４】
この発明は、かかる問題点に鑑み、頁を開いた時に小紙片がすぐに閉じてしまわないようにした冊子を提供することを課題とする。
【０００５】
【課題を解決するための手段】
そこで、本発明に係る冊子は、複数枚の頁用紙が積層されその一端側が相互に綴じ込まれることによって任意の頁用紙を開き可能な綴込み体が構成され、上記複数の全部又は一部の頁用紙には切離し線が入れられることによって該頁用紙の全部又は一部が上記綴込み体から切離し可能に設けられている一方、上記複数の各頁用紙の一端側には折曲げ案内線が上記頁用紙の一端縁にほぼ平行に延びて入れられることによって上記綴込み体は任意の頁用紙を開いた状態を維持するようになっていることを特徴とする。
【０００６】
本発明の特徴の１つは一端側を綴じ込んだ複数の頁用紙に折曲げ案内線をその一端縁と平行に入れるようにした点にある。これにより、頁用紙を開くと、折曲げ案内線によって頁用紙の開きが案内されて開いた状態が維持される。その結果、小切手帳や約束手形帳の場合には使用済みの控え紙片が開いた状態を維持し、記入しようとする控えの上に重ならないので、従来のような控えへの記入の煩わしさを解消できることとなる。
【０００７】
折曲げ案内線は複数の各頁用紙の同じ位置に入れるようにしてもよいが、頁用紙が開いた状態を確実に維持するように、斜めに入れるのがよい。即ち、折曲げ案内線は折曲げ案内線と頁用紙の一端縁との間の寸法が綴込み体の上側の頁用紙から下側の頁用紙に向けて漸増するように入れられるのがよい。
【０００８】
本発明は頁用紙を切り離すことなく常に綴じ込んだままの冊子に適用することもできるが、小切手や約束手形を切り離し、控えが残る小切手帳や手形帳に適用するとその効果が大きい。
【０００９】
小切手帳や約束手形帳の場合、複数枚の各頁用紙が小切手又は約束手形と控えとからなる用紙であり、小切手又は約束手形と控えとの間に切離し線が入れられており、小切手又は約束手形及び控えに記入する際に使用済みの控え紙片が開いた状態を維持するようになっているのがよい。
【００１０】
【発明の実施の形態】
以下、本発明を図面に示す具体例に基づいて詳細に説明する。図１ないし図３は本発明に係る冊子の好ましい実施形態を示し、これは小切手帳に適用した例である。図において、小切手帳１０は表紙１１、台紙１２及び頁用紙２０から構成されている。表紙１１と台紙１２との間には５０枚の頁用紙２０が積層して挟み込まれ、表紙１２、台紙１２及び頁用紙２０の一端側は糊で綴じ込まれるとともに背カバー１３が貼り付けられて綴込み体が構成されている。
【００１１】
頁用紙２０は図２に示されるように、小切手２１と控え２２とからなり、小切手２１及び控え２２は小切手及び控えとしての所定の印刷が施されている。この小切手２１と控え２２との間には頁用紙２０の一端縁に平行にミシン目（切離し線）２３が入れられ、小切手２１を切り離して使用できるようになっている。
【００１２】
また、表紙１１及び頁用紙２０の一端側近傍には折曲げ案内線１４、２４がトムソンパンチの打込みによって入れられている。この複数の折曲げ案内線１４、２４は折曲げ案内線１４、２４と表紙１１及び頁用紙２０の一端縁との間の寸法が表紙１１から台紙１２に向けて漸増するように傾斜して設けられている。
【００１３】
小切手を切る場合、小切手帳１０を開け、小切手２１及び控え２２に必要な事項を記入し、小切手２１に金額をチェックライター等を用いて印字し、あるいは万年筆等で記入した後、小切手２１をミシン目２３で切り離して用いる。
【００１４】
ところで、使用していない頁用紙２０が少なくなった場合、使用済みの控え紙片２２Ａが多くなり、小切手帳１０を開いた時に使用済みの控え紙片２２Ａが使用しようとする控え２２上に重なってしまう。従来の小切手帳では片手で使用済みの控え紙片２２Ａを開いた状態に押さえておく必要があった。
【００１５】
これに対し、本例の小切手帳では控え２２の一端側に折曲げ案内線２４を入れているので、使用済みの控え紙片２２Ａを開くと、図３に示されるように使用済みの控え紙片２２Ａはその開いた状態を維持し、使用しようとする控え２２上に重ならないので、片手で多数の使用済みの控え紙片２２Ａを押さえておく必要もなく、記入の煩雑さを解消できる。
【図面の簡単な説明】
【図１】本発明に係る冊子の好ましい実施形態を示す概略斜視図である。
【図２】上記実施形態における頁用紙を示す要部斜視図である。
【図３】上記実施形態における使用状態を示す斜視図である。
【符号の説明】
１０　　　小切手帳
１１　　　表紙
１２　　　台紙
２０　　　頁用紙
２１　　　小切手
２２　　　控え
２２Ａ　　　使用済み控え
２３　　　ミシン目（切離し線）
２４　　　折曲げ案内線
【図１】
2004009719.tif 000003
【図２】
2004009719.tif 000004
【図３】
2004009719.tif 000005